(57)【要約】【課題】１つのスイッチの操作に合わせて設定される風量が順に切り替わる風量の制御方式においても、使用者に違和感を与えることなくスムーズに所望の風量に変更することができる機器の制御装置を提供すること。【解決手段】計時手段によって風量選択手段の操作される間隔を計時し、風量選択手段を操作してから所定時間内に再び操作が行われた場合は、風量を切り替える間に一時的に選択されただけであると判断して、風量を変更せずに空気清浄機の運転を継続する。一方、風量選択手段を操作してから所定時間経過した場合には、その風量が使用者によって選択されたものであると判断して風量を変更して運転を行う。【選択図】図４
2005055116.tif 000002
【特許請求の範囲】
【請求項１】
送風機と、複数の風量から所望の風量を選択する風量選択手段を有する操作部と、前記風量選択手段が操作される毎に設定される風量を順に変更して送風機の回転を制御する制御部と、現在選択されている風量を表示する表示部と、風量選択手段が操作される毎に前回の計時内容をリセットし計時を開始する計時手段とを有し、前記制御部は前記計時手段により計時された時間が所定値以下であるときは風量を変更せずに運転を継続し、所定値以上であるときは選択された風量に変更して運転を行うことを特徴とする機器の制御装置。
【請求項２】
送風機と、複数の運転モードから所望の運転モードを選択する運転モード選択手段を有する操作部と、前記運転モード選択手段が操作される毎に設定される運転モードを順に変更して送風機の回転を制御する制御部と、現在選択されている運転モードを表示する表示部と、運転モード選択手段が操作される毎に前回の計時内容をリセットし計時を開始する計時手段とを有し、前記制御部は前記計時手段により計時された時間が所定値以下であるときは運転モードを変更せずに運転を継続し、所定値以上であるときは選択された運転モードに変更して運転を行うことを特徴とする機器の制御装置。
【発明の詳細な説明】
【技術分野】
【０００１】
本発明は、送風機を有した機器の制御装置に関し、特に、使用者が運転モードや風量を選択して運転を行う機器の制御装置に関するものである。
【背景技術】
【０００２】
従来のこの種の制御装置を空気清浄機を例に説明する。空気清浄機は送風機が回転することにより室内の汚れた空気を本体内に取り入れ、集塵部にて空気中の塵埃等を吸着し、塵埃が除去された空気を吹出口より本体外へ送出して室内空気を清浄化するように構成されている。そして、機器内部に設けられた室内空気の汚れ度合いを検知するホコリセンサーやニオイセンサー等の出力により自動で運転が制御される自動運転モードと、使用者が好みの風量を選択して運転を行わせる手動運転モードを備えている。
【０００３】
図３は上述の操作を行う操作部であって、手動運転モードの場合、使用者は風量を選択するスイッチを操作して風量を選択することができるようになっていて、ここでは「微弱」、「弱」、「中」、「強」の４段階の風量設定が可能であり、手動運転モード時に風量を選択する風量選択スイッチ１１を操作すると、「微弱」→「弱」→「中」→「強」→「微弱」→・・・というようにスイッチが操作されるごとに４段階の風量が順に切り替わるようになっている。そして、この風量選択スイッチ１１の操作に合わせて、現在選択されている風量がＬＥＤ等で構成された風量表示灯１３により表示されるのである。
【０００４】
ここで例えば、現在は風量を「強」で運転しているが、「弱」に変更したいときは、風量選択スイッチ１１を２度操作することにより風量は「強」→「微弱」→「弱」へと変更される。
【特許文献１】特開２００２−１２６４３１号公報
【発明の開示】
【発明が解決しようとする課題】
【０００５】
ところが、風量は風量選択スイッチの操作に合わせて順番に切り替わるように制御されているため、前述のように「強」から「弱」に変更したい場合でも、その途中で一時的に「微弱」を選択しなければならない。そのため、風量を「弱」に変更したいにも関わらず、使用者にとっては不必要である「微弱」に一時的に風量が変更されてしまい、その結果、使用者に違和感を与えてしまうことになる。
【０００６】
本発明は上記課題を解決するためのもので、スイッチの操作に合わせて設定される風量が順に切り替わる風量の制御方式においても、使用者に違和感を与えることなくスムーズに所望の風量に変更することができる機器の制御装置を提供することを目的とする。
【課題を解決するための手段】
【０００７】
請求項１の発明は、送風機と、複数の風量から所望の風量を選択する風量選択手段を有する操作部と、前記風量選択手段が操作される毎に設定される風量を順に変更して送風機の回転を制御する制御部と、現在選択されている風量を表示する表示部と、風量選択手段が操作される毎に前回の計時内容をリセットし計時を開始する計時手段とを有し、前記制御部は前記計時手段により計時された時間が所定値以下であるときは風量を変更せずに運転を継続し、所定値以上であるときは選択された風量に変更して運転を行うことを特徴とする機器の制御装置である。
【０００８】
すなわち、請求項１の発明では、風量選択手段が操作されたときは、計時手段によって風量選択手段の操作される間隔を計時し、風量選択手段を操作してから所定時間内に再び操作が行われた場合は、風量を切り替える間に一時的に選択されただけであると判断して、風量を変更せずに運転を継続する。一方、風量選択手段を操作してから所定時間経過した場合には、その風量が使用者によって選択されたものであると判断して風量を変更して運転を行う。
【０００９】
請求項２の発明は、送風機と、複数の運転モードから所望の運転モードを選択する運転モード選択手段を有する操作部と、前記運転モード選択手段が操作される毎に設定される運転モードを順に変更して送風機の回転を制御する制御部と、現在選択されている運転モードを表示する表示部と、運転モード選択手段が操作される毎に前回の計時内容をリセットし計時を開始する計時手段とを有し、前記制御部は前記計時手段により計時された時間が所定値以下であるときは運転モードを変更せずに運転を継続し、所定値以上であるときは選択された運転モードに変更して運転を行うことを特徴とする機器の制御装置である。
【００１０】
すなわち、請求項２の発明では、運転モード選択手段が操作されたときは、計時手段によって運転モード選択手段の操作される間隔を計時し、運転モード選択手段を操作してから所定時間内に再び操作が行われた場合は、運転モードを切り替える間に一時的に選択されただけであると判断して、運転モードを変更せずに運転を継続する。一方、運転モード選択手段を操作してから所定時間経過した場合には、その運転モードが使用者によって選択されたものであると判断して運転モードを変更して運転を行う。
【発明の効果】
【００１１】
請求項１の発明によれば、風量の切り替えが１つのスイッチ操作により行われる方式の機器の制御装置において、選択された風量が一時的なものなのかそれとも使用者によって選択されたものかを判断して風量を変更するので、不必要な風量の変更を少なくしてスムーズな風量変更を行う制御装置を提供することができる。
【００１２】
また請求項２の発明によれば、運転モードの切り替えが１つのスイッチ操作により行われる方式の機器の制御装置において、選択された運転モードが一時的なものなのかそれとも使用者によって選択されたものかを判断して運転モードを変更するので、不必要な運転モードの変更を少なくしてスムーズな運転モードの変更を行う制御装置を提供することができる。
【発明を実施するための最良の形態】
【００１３】
以下、空気清浄機を例として本発明の実施例を添付の図面をもとに説明するが、本発明は送風機の回転を制御する制御装置に関するものであり、空気清浄機以外に加湿器や冷風扇等の送風機を有する機器にも適用が可能である。
【実施例１】
【００１４】
図１はの空気清浄機の外観図で、１は本体、２は本体１の前面に設けられた吸入口、３は本体１の上面に設けられた吹出口である。４は空気清浄機の運転開始・停止、あるいは風量やタイマー等の設定を行う複数の操作スイッチを備えた操作部５と、操作部５により設定された内容やホコリセンサー等で検知した室内空気の粉塵濃度等を表示するための複数の表示灯を備えた表示部６とからなる操作パネルである。
【００１５】
図２は空気清浄機の断面図で、７は室内の空気の気流を発生させる送風機、８は送風機７により吸入口２から吸入された室内空気の塵埃等を吸着して除去する除去手段としての集塵部であり、ここでは電気集塵式を採用している。尚、前記送風機７の吸い込み側は集塵部８に、また排出側は吹出口３にそれぞれ連通している。そして、９は比較的大きな綿ごみ等を捕集するための網状フィルタである。
【００１６】
また、図３は操作パネル４の拡大図で、運転スイッチ１０、風量選択スイッチ１１、タイマースイッチ１２からなる操作部５と、前記操作部５により設定された内容を表示する風量表示灯１３及びタイマー表示灯１４と、ニオイセンサーとホコリセンサーにより検知された室内空気の各種濃度を段階的に表示するニオイモニター表示灯１５とホコリモニター表示灯１６からなる表示部６を備えている。
【００１７】
本実施例の空気清浄機は、ホコリセンサーやニオイセンサーの検知結果により風量を自動で制御する自動運転モードと、風量を固定して運転する手動運転モードを有しており、手動運転モードでは「微弱」、「弱」、「中」、「強」の４段階の風量設定が可能である。そして、部屋の状況に合わせて使用者が風量選択スイッチ１１を操作する毎に、設定される風量が「微弱」→「弱」→「中」→「強」→「微弱」→・・・と順に切り替わるようになっており、現在設定されている風量に合わせて風量表示灯１３が点灯する。
【００１８】
そして、図４は空気清浄機の運転を制御する制御部１７を表した図で、操作部５の操作やセンサーからの出力により送風機７を回転させる速度を決定する速度制御手段１８、風量選択スイッチ１１が操作されたときに計時を開始する計時手段１９、速度制御手段１８により決定された速度に基づき送風機７を駆動する送風機駆動回路２０を有している。
【００１９】
次に、上記の構成における動作を説明する。運転スイッチ１０により空気清浄機の運転を開始すると、送風機７が回転し、その回転により吸入口２より室内空気が本体１内に流入する。そして、比較的大きい塵埃等は網状フィルタ９にて除去し、網状フィルタ９で除去できない細かい塵埃は、後方の集塵部８に吸着することで効率よく集塵されて、清浄された空気を吹出口３より送出することで室内空気は清浄化されるようになっている。
【００２０】
そして、一定時間後に運転を停止させたいときは運転中にタイマースイッチ１２を操作し、運転停止までの時間を設定する。するとタイマー表示灯１４は時間の経過とともに点灯するランプの数を減らすことによって、運転停止までの残り時間を表示する。
【００２１】
また、ニオイセンサーやホコリセンサーは室内空気の汚れ度合いや臭い強度を検知して、それらの検知濃度にほぼ比例して表示部６のニオイモニター表示灯１５やホコリモニター表示灯１６を段階的に点灯させており、運転状態における室内空気の汚染状態を視覚的に表示している。
【００２２】
なお、空気清浄運転の方法としては、ホコリセンサーやニオイセンサー等の出力により自動で運転が制御される自動運転モードと、使用者が風量選択スイッチ１１により好みの風量を選択して運転を行う手動運転モードがあり、自動運転モードが選択されているときは、ニオイセンサーやホコリセンサーの検知結果によって、速度制御手段１８は送風機７を回転させる速度を決定し、この速度に基づき送風機駆動回路２０を制御して運転が行われる。
【００２３】
一方、手動運転モードの場合は、風量選択スイッチ１１の操作により選択される風量となるように速度制御手段１８は送風機７を回転させる速度を決定して送風機駆動回路２０を制御する。使用者は、例えばニオイやホコリが気になるときは、風量「強」を選択して室内の空気を素早く清浄化させたり、また、運転音を押さえた運転をさせたいときは、風量「微弱」を選択するなど、使用される部屋の状況に合わせて風量を切り替えて運転させることができる。
【００２４】
このような手動運転モードにおいて、使用者が風量を切り替える際は図５のフローチャートに示すように制御される。まず、風量選択スイッチ１１が操作されたことを確認すると（ステップ１）、計時手段１９が計時を開始する（ステップ２）。なお計時手段１９は、風量選択スイッチ１１の操作間隔を計時するものであるため、風量選択スイッチ１１の操作が行われるたびに、計時内容をリセットして計時を開始する。次に、計時手段１９により計時される時間が所定値（例えば２秒）以上であるかを判断するのだが、２秒経過する前に再び風量選択スイッチ１１が操作されたことを確認すると（ステップ３）、計時内容をリセットして計時を開始するとともに（ステップ４）、風量は変更せずに運転を継続する。また、計時された時間が２秒以上と判断されたときは（ステップ５）、選択された風量に変更して運転を行う（ステップ６）。
【００２５】
つまり、風量選択スイッチ１１の操作される間隔を計時して、風量選択スイッチ１１を操作してから所定時間内に再び操作が行われた場合は、その風量は切り替えの途中で一時的に選択されただけであると判断して、風量を変更せずに空気清浄機の運転を継続する。一方、風量選択スイッチ１１を操作してから所定時間経過した場合には、その風量が使用者によって選択されたものであると判断して風量を変更して運転を行う。
【００２６】
例えば、風量選択スイッチ１１を１度操作して、風量を「強」から「微弱」へ切り替える場合、風量選択スイッチ１１が操作されると現在の風量設定が「強」から「微弱」に変更されたことを風量表示灯１３により表示するとともに、計時手段１９は計時を開始する。そして計時手段１９によって計時された時間が２秒以上となると、速度制御手段１８は風量「微弱」となるように送風機駆動回路２０を制御し、送風機７の回転する速度が変更される。
【００２７】
また、風量選択スイッチ１１を２度操作して、風量を「強」から「弱」へ切り替える場合は、まず１度目の風量選択スイッチ１１操作がなされると、現在の設定風量が「強」から「微弱」移ったことを風量表示灯１３により表示するとともに、計時手段１９が計時を開始する。しかし、１度目のスイッチ操作は風量を「強」から「弱」へ変更する間に一時的に操作されるものであるから、１度目の操作の後すぐに２度目のスイッチ操作が行われるため、計時手段１９に計時される時間は２秒以下となる。よって、風量の変更は行わずに「強」のまま運転が継続される。そして２度目のスイッチ操作が行われると設定風量が「微弱」から「弱」に移ったことを風量表示灯１３により表示するとともに、計時手段１９は前回の計時内容をリセットして再び計時を開始する。そして、計時された時間が２秒以上となったときに、速度制御手段１８は風量「弱」となるように送風機駆動回路２０を制御し、送風機７の回転する速度が変更される。
【００２８】
なお、実施例では所定時間を２秒としたが、スイッチの操作が連続して行われているのかどうかを判断できる時間であればよく、これに限るものではない。ただし、あまり長く設定すると、風量選択スイッチ１１を操作してから風量が変更されるまでに遅れが生じてしまうため使用者に故障であるかのような印象を与えてしまったり、反対に短く設定すると風量選択スイッチ１１が連続して操作されているかの判断が難しくなってしまうため注意が必要である。
【実施例２】
【００２９】
次に、本発明の実施例２を図６、図７をもとに説明する。なお、実施例１と同じ構成部品については同一の符号を付し、説明を省略する。
【００３０】
図６に示す操作パネル４には、運転モードを選択する運転モード選択スイッチ２１と、運転モード選択スイッチ２１により選択された内容を表示する運転モード表示灯２２が設けられている。
【００３１】
本実施例の空気清浄機は、ホコリセンサーやニオイセンサー等の出力により自動で運転が制御されるようになっているが、使用される状況に合わせて、たばこの煙を除去する「たばこモード」、花粉やハウスダストを除去する「花粉モード」、運転音の発生を抑えた「静音モード」を有していて、運転モード選択スイッチ２１を操作する毎に、設定されるモードが「たばこモード」→「花粉モード」→「静音モード」→自動運転→「たばこモード」→・・・と順に切り替わるようにいる。そして、現在設定されているモードに合わせて運転モード表示灯２２が点灯する。
【００３２】
例えば、「たばこモード」が選択されると、喫煙中に発生する煙を素早く吸引するために最大風量で運転を開始する。また、「花粉モード」が選択されると、空気流を発生させて部屋全体に浮遊している花粉を除去するために、風量を周期的に増減させて運転を行う。そして、「静音モード」が選択されると、就寝時にも運転音が気にならないように通常の運転よりも風量を抑えた運転を行うようになっている。よって、使用者は状況に合わせて運転モードを選択して空気清浄運転を行わせることができ、選択された運転モードに合わせた風量となるように速度制御手段１８は送風機７を回転させる速度を決定して送風機駆動回路２０を制御する。
【００３３】
ここで、使用者が運転モードを切り替える際は図７のフローチャートに示すように制御される。まず、運転モード選択スイッチ２１が操作されたことを確認すると（ステップ１）、計時手段１９が計時を開始する（ステップ２）。なお計時手段１９は、運転モード選択スイッチ２１の操作間隔を計時するものであるため、運転モード選択スイッチ２１の操作が行われるたびに、計時内容をリセットして計時を開始する。次に、計時手段１９により計時される時間が所定値（例えば２秒）以上であるかを判断するのだが、２秒経過する前に運転モード選択スイッチ２１が操作されたことを確認すると（ステップ３）、計時内容をリセットして再度計時を開始するとともに（ステップ４）、運転モードは変更せずに運転を継続する。また、計時された時間が２秒以上と判断されたときは（ステップ５）、選択された運転モードに変更して運転を行う（ステップ６）
【００３４】
つまり、運転モード選択スイッチ２１の操作される間隔を計時して、運転モード選択スイッチ２１を操作してから所定時間内に再び操作が行われた場合は、その運転モードは切り替えの途中で一時的に選択されただけであると判断して、運転モードを変更せずに空気清浄機の運転を継続する。一方、運転モード選択スイッチ２１を操作してから所定時間経過した場合には、その運転モードが使用者によって選択されたものであると判断して運転モードを変更して運転を行う。
【００３５】
なお、実施例では運転モードを「たばこモード」、「花粉モード」、「静音モード」の３種類としたがこれに限るものではなく、この他の運転モードを設ける構成としてもかまわない。
【図面の簡単な説明】
【００３６】
【図１】本発明の実施例の外観図である。
【図２】本発明の実施例の断面図である。
【図３】従来例および本発明の実施例１の操作パネルの拡大図である。
【図４】本発明の実施例の制御部のブロック図である。
【図５】本発明の実施例１の制御のフローチャートである。
【図６】本発明の実施例２の操作パネルの拡大図である。
【図７】本発明の実施例２の制御のフローチャートである。
【符号の説明】
【００３７】
７    送風機
１１  風量選択手段（スイッチ）
５    操作部
１７  制御部
６    表示部
１９  計時手段
２１  運転モード選択手段（スイッチ）
【図１】
2005055116.tif 000003
【図２】
2005055116.tif 000004
【図３】
2005055116.tif 000005
【図４】
2005055116.tif 000006
【図５】
2005055116.tif 000007
【図６】
2005055116.tif 000008
【図７】
2005055116.tif 000009